(57)【要約】      （修正有）【課題】擁壁の透水性及び植物植生の効果を低減することのないポーラスコンクリートブロックを提供する。【解決手段】ブロック本体１０と、控えコマ１６とからなる。ブロック本体は、前面板１１と、この前面板の背面側に前面板の幅より狭く、かつ前面板の高さと略同一の高さにして突設した控え１２とからなり、控えの控え尻１３の高さ方向中間部に溝１４を横方向に向けて設けてポーラスコンクリートにて成形される。控えコマは、ブロック本体の控えの控え尻と略同一形状で、かつ前面にブロック本体の控え尻に設けた溝に嵌合する突起１７を設け、この突起を控え尻の溝に嵌合することによりブロック本体の控え尻に組み立て可能にしてポーラスコンクリートにて成形される。控えコマの厚さを、ブロック本体の厚さに必要な増加分の厚さにする。【選択図】図３
0003175402.tif 000002
【実用新案登録請求の範囲】
【請求項１】
前面板と、この前面板の背面側に前面板の幅より狭く、かつ前面板の高さと略同一の高さにして突設した控えとからなり、控えの控え尻の高さ方向中間部に溝を横方向に向けて設けてポーラスコンクリートにて成形したブロック本体と、
上記ブロック本体の控えの控え尻と略同一形状で、かつ前面に上記ブロック本体の控え尻に設けた溝に嵌合する突起を設け、この突起を控え尻の溝に嵌合することによりブロック本体の控え尻に組み立て可能にしてポーラスコンクリートにて成形した控えコマとからなり、
この控えコマの厚さを、上記ブロック本体の厚さに必要な増加分の厚さにした
ことを特徴とするポーラスコンクリートブロック。
【請求項２】
ブロック本体の控え尻に設ける溝と、控えコマの前面に設ける突起のそれぞれを、軸直角断面形状を半円形状にし、長手方向の断面形状を、長手方向中央部に対して長手方向両側が徐々に半径が小さくなるように、あるいは長手方向中央部に対して長手方向両側が徐々に半径が大きくなるような形状にして、上記溝と突起が軸方向に移動しないように嵌合するようにしたことを特徴とする請求項１記載のポーラスコンクリートブロック。
【請求項３】
前面壁の横方向両側の裏側面に、この前面壁の厚さを薄くして容易に部分的に破壊可能にしたノックアウト部を設けたことを特徴とする請求項１，２のいずれか１項記載のポーラスコンクリートブロック。
【請求項４】
ブロック本体を上下・左右対称形状とすると共に、これの重心を横方向及び高さ方向の中央で、かつ前面から全厚さの略４／１０の位置になるようにしたことを特徴とする請求項１〜３のいずれか１項記載のポーラスコンクリートブロック。
【請求項５】
請求項１記載のブロック本体と控えコマとを組み立てた組み立て体を、これの控えコマの背面を透水性を有する裏込め材に対接して千鳥状に積み重ねてなることを特徴とする擁壁。
【考案の詳細な説明】
【技術分野】
【０００１】
本考案は、ポーラスコンクリートブロック及びこのポーラスコンクリートブロックを積み重ねてなる透水性を有する擁壁に関するものである。
【背景技術】
【０００２】
従来のポーラスコンクリートブロックを積み重ねてなる擁壁は図１に示すように、前面板１とこの前面板１の背面側に前面板１より幅方向に狭くして設けた控え２を設けたポーラスコンクリートブロック３を、これの控え尻４を瓦礫を用いた裏込め材５に対接させて積み重ねるようにしている。なお、６は基礎材、７は基礎コンクリート、８は天板コンクリートである。
【０００３】
このような擁壁にあっては、これを構成するポーラスコンクリートブロック３は透水性を有しているので、法面の裏込め材５からポーラスコンクリートブロック３の前面側に水が浸透されるようになっている。また、上記したように、これを構成するブロック自体に透水性及び多数の細孔を有していることにより擁壁の表面での植生が可能になっている。この種の擁壁を構成するポーラスコンクリートブロックとしては、特許文献１等にて知られている。
【０００４】
上記した擁壁において、この擁壁の厚さをポーラスコンクリートブロック３の厚さ分より厚くしなければならない場合があるが、この場合、従来の擁壁にあっては図２に示すように裏込め材５とポーラスコンクリートブロック３の控え尻４の間に裏込めコンクリート９を施工するようにしている。
【先行技術文献】
【特許文献】
【０００５】
【特許文献１】特開２００５−３４４４８９号公報
【考案の概要】
【考案が解決しようとする課題】
【０００６】
上記従来のポーラスコンクリートブロックを用いた擁壁にあっては、擁壁の厚さをポーラスコンクリートブロックの厚さ分より厚くした場合に、図２に示すようにポーラスコンクリートブロック３の控え尻４が裏込めコンクリート９に対接することになり、各ポーラスコンクリートブロック３の透水性がこの裏込めコンクリート５によって遮断されてしまい、このように擁壁の厚さを厚くした場合に、せっかくポーラスコンクリートブロックを使用したにもかかわらず透水性や植物植生の効果を得ることができなかった。
【０００７】
本考案は、上記のことにかんがみなされたもので、擁壁の厚さをポーラスコンクリートブロックの厚さ分より厚くした場合においても、この擁壁の透水性及び植物植生の効果を減ずることがないようにしたポーラスコンクリートブロック及びこのポーラスコンクリートブロックを用いて構築した擁壁を提供することを目的とするものである。
【課題を解決するための手段】
【０００８】
上記目的を達成するために、本考案に係るポーラスコンクリートブロックは、前面板と、この前面板の背面側に前面板の幅より狭く、かつ前面板の高さと略同一の高さにして突設した控えとからなり、控えの控え尻の高さ方向中間部に溝を横方向に向けて設けてポーラスコンクリートにて成形したブロック本体と、上記ブロック本体の控えの控え尻と略同一形状で、かつ前面に上記ブロック本体の控え尻に設けた溝に嵌合する突起を設け、この突起を控え尻の溝に嵌合することによりブロック本体の控え尻に組み立て可能にしてポーラスコンクリートにて成形した控えコマとからなり、この控えコマの厚さを、上記ブロック本体の厚さに必要な増加分の厚さにした構成になっている。
【０００９】
上記したポーラスコンクリートブロックにおいて、ブロック本体の控え尻に設ける溝と、控えコマの前面に設ける突起のそれぞれを、軸直角断面形状を半円形状にし、長手方向の断面形状を、長手方向中央部に対して長手方向両側が徐々に半径が小さくなるように、あるいは長手方向中央部に対して長手方向両側が徐々に半径が大きくなるような形状にして、上記溝と突起が軸方向に移動しないように嵌合するようにした。
【００１０】
上記ポーラスコンクリートブロックにおいて、前面壁の横方向両側の裏側面に、この前面壁の厚さを薄くして容易に部分的に破壊可能にしたノックアウト部を設けた。
【００１１】
また、上記ポーラスコンクリートブロックにおいて、ブロック本体を上下・左右対称形状とすると共に、これの重心を横方向及び高さ方向の中央で、かつ前面から全厚さの略４／１０の位置になるようにした。
【００１２】
上記構成のポーラスコンクリートブロックを用いて構築する擁壁は、請求項１記載のブロック本体と控えコマとを組み立てた組み立て体を、これの控えコマの背面を透水性を有する裏込め材に対接して千鳥状に積み重ねるようにした。
【考案の効果】
【００１３】
本考案の請求項１及び請求項５に係るポーラスコンクリートブロック及びこれを用いた擁壁にあっては、ポーラスコンクリートブロックからなるブロック本体の控えの控え尻に所定の厚さの控えコマを組み立てて、所定厚さのブロックにして擁壁として積み重ねることができ、これによりブロックの厚さを増加するために裏込めコンクリートを用いる必要がなくなり、ポーラスコンクリートブロックの控え尻側の端面を透水性を有する裏込め材に対接させることができ、擁壁の厚さを厚くした場合においてもポーラスコンクリートブロックとしての透水性を確保することができると共に、擁壁内においての植物植生の効果を得ることができる。
【００１４】
請求項２に係るポーラスコンクリートブロックにあっては、上記ブロック本体の溝と控えコマの突起とを横方向にずれることなく密に嵌合することができる。
【００１５】
請求項３に係るポーラスコンクリートブロックにあっては、ブロック本体の前面壁を、これのノックアウト部にて部分的に破壊することにより、この破壊穴を通して水抜きパイプを設置したり、この穴によりブロック内に昆虫などの小動物の生息を促すことができる。
【００１６】
請求項４に係るポーラスコンクリートブロックにあっては、ブロック本体を上下・左右対称形状とすると共に、これの重心位置がこれの全厚さの前側から略４／１０の位置と、やや前側に位置することにより、このブロック本体の据え付け時にこれの方向性を持たないこと、及び自立性を有することにより、据え付けを容易に行うことができる。
【図面の簡単な説明】
【００１７】
【図１】従来のポーラスコンクリートブロックを用いて構築した擁壁を示す断面図である。
【図２】従来のポーラスコンクリートブロックと共に裏込めコンクリートを用いて構築した擁壁を示す断面図である。
【図３】本考案に係るポーラスコンクリートブロックの分解斜視図である。
【図４】本考案に係るポーラスコンクリートブロックを用いて構築した擁壁を示す断面図である。
【図５】上記擁壁を示す正面図である。
【図６】ブロック本体を示す正面図である。
【図７】ブロック本体を示す背面図である。
【図８】ブロック本体を示す側面図である。
【図９】ブロック本体を示す一部破断平面図である。
【図１０】ブロック本体を示す斜視図である。
【図１１】控えコマを示す正面図である。
【図１２】控えコマを示す側面図である。
【図１３】控えコマを示す平面図である。
【考案を実施するための形態】
【００１８】
本考案に係るポーラスコンクリートブロック及びこれを用いて構築する擁壁を図３〜図１０を用いて説明する。
【００１９】
図３において、１０はポーラスコンクリートにて成形されたブロック本体であり、このブロック本体１０は前面板１とこの前面板１１の背面側に前面板１１の幅より狭くして設けた控え１２からなっている。このブロック本体１０は、図５に示されるように千鳥状に積み重ねられるようになっている。
【００２０】
このブロック本体１０の控え尻１３には、これの上下方向中間部に軸直角断面形状を半円形状に形成した溝１４が横方向に向けて設けてある。
【００２１】
また、このブロック本体１０の前面板１の背面で、かつ控え１２の両側に、前面板１の厚みを薄くして容易に破壊できるようにした、例えば厚さを略１５ｍｍ程度にしたノックアウト部１５が前面板１１の幅方向外側端から凹状に設けてある。
【００２２】
図３において１６はポーラスコンクリートにて成形された控えコマであり、この控えコマ１６は、これの高さＨが上記ブロック本体１０の控え１２の控え尻１３の高さｈ１と同じに、また幅Ｗはこの控え尻１３の幅ｄ１と同じになっている。これの厚さＤは任意の厚さで、例えば図２で示した裏込めコンクリート９の厚さ分になっている。これの厚さ方向の一側面（前面）の上下方向の中間部に上記ブロック本体１０の控え尻１３に設けた溝１４に嵌合する形状、すなわち軸直角断面形状を半円形状にした突起１７が設けてあり、控えコマ１６はこの突起１７を控え尻１３の溝１４に嵌合した状態で、これの一面が控え尻１３に当接し、上下面が控え１２の上下面と一致するようにして組み立てられるようになっている。
【００２３】
上記控え尻１３に設けた溝１４と控えコマ１６に設けた突起１７とは上記したように密に嵌合されるようになっているが、よりよく嵌合し、かつ横方向にずれにくくするために、溝１４と突起１７のそれぞれの長手方向の断面形状が図９、図１３に示すように、長手方向中央に対して長手方向両側に徐々に半径が大きくなるような形状になっている。なお、この溝１４と突起１７の長手方向の断面形状は、長下方向中央部に対して長手方向両側が徐々に半径が小さくなるような形状になっていてもよい。
【００２４】
上記構成において上記ブロック本体１０を図４、図５に示すように千鳥状に積み重ねることにより擁壁が構築されるが、この擁壁の厚さがブロック本体１０の厚さでよい場合には、図１で示した従来の場合と同様にこのブロック本体１０の控え尻１３を裏込め材５に対接して積み重ねる。
【００２５】
これによりブロック本体１０は、控え尻１３からの前面板１１への透水性を確保される擁壁が構築される。
【００２６】
一方、上記擁壁の厚さをブロック本体１０の厚さより大きくしたい場合には、このブロック本体１０の厚さより大きくしたい分の厚さＤを有する控えコマ１６をブロック本体１０の控え尻１３に、これらの溝１４と突起１７を嵌合して一体状に組み立てた組み立て体として千鳥状に積み重ねる。
【００２７】
これによりブロック本体１０と控えコマ１６との組み立て体は、これのポーラスコンクリートにて成形された控えコマ１６の背面が裏込め材５に対接した状態で擁壁が構築されることになり、この擁壁は壁背面からの透水性が確保される。
【００２８】
この実施の形態では前面壁１１にノックアウト部１５が設けてあることにより、必要に応じてこのノックアウト部１５を破壊して水抜きパイプを設置することができる。
【００２９】
また、このノックアウト部１５に穴をあけると共に空積みし、あるいは中込め材に栗石を使用することにより、ブロック内に昆虫などの小動物の生息空間を設けることができる。また、ノックアウト部１５に穴をあけると共に、中込め材に土壌を詰めることによって植物の成長が期待できる。
【００３０】
上記ブロック本体１０は上下・左右対称形状になっていると共に、これの重心が前寄りにあることにより、ブロック本体を据え付けるときにこれの方向性を持たないと共に自立性を有していることになり、このブロック本体１０の据え付けを容易に行うことができる。
【００３１】
図６〜図１０は、上記ブロック本体１０の形状を具体的に示すものである。この実施の形態におけるブロック本体１０の形状は上下・左右対称になっており、これの大きさの一例として、控え尻１３の幅ｄ１は１４０ｍｍ、前面板１１の幅ｄ２は４５０ｍｍ、これの高さｈ２は控え尻１３の高さｈ１と同じで３００ｍｍ、厚さＳは３８０ｍｍである。このブロック本体１０の重心Ｇの位置は、これの高さ方向では上下対称形状であるので上下方向１／２の位置である。そして厚さ方向では前側からｓ１の位置で、このｓ１は１４８ｍｍとなっている。このｓ１はブロック本体１０の厚さの約４／１０の位置、すなわち約４：６の割合で前側に重心が位置するようになっている。また、このポーラスコンクリーブロックの控え１２の幅ｄ３は約１５１ｍｍ、控え根元の幅ｄ４は１７０ｍｍ、控え端の幅ｄ５は２３０ｍｍ、面体の厚さｔは３０ｍｍである。
【００３２】
控え１２の上下面に前側が矢印状に形成された位置決め突起１８，１８が設けてあり、この位置決め突起１８，１８がブロック本体１０を千鳥状に積み重ねたときに上下の両側のブロック本体相互の位置決めとなるようにしている。
【００３３】
一方、図３にて示した控えコマ１６の大きさは、これの前面形状はブロック本体１０の控え尻１３の形状、即ち幅Ｗは１４０ｍｍ、高さＨは３００ｍｍであり、厚さＤはこの実施例では１００ｍｍになっている。
【００３４】
上記控えコマ１６が嵌合する溝１４は、図８〜図１０に示すように溝１４の長手方向中間部に対して長手方向両側の半径が徐々に大きくなるような形状になっている。一方、上記溝１４に嵌合する控えコマ１６の突起１７は、上記溝１７に係合するように長手方向中間部がくびれた形状となるように形成してあり、控えコマ１６の突起１７はブロック本体１０の溝の１４に幅方向にずれることなく密に嵌合されるようになっている。
【００３５】
本考案に係るポーラスコンクリートブロックは、ポーラスコンクリートブロックでありながら壁体を構築したときに基準の壁体質量を確保されるものである。上記基準は［道路土工−擁壁工指針］、［宅地造成等規制法］に定められており、本考案に係るポーラスコンクリートブロックはそれのＡ区分に属するものである。
【００３６】
上記基準において、Ａ区分における基準圧縮強度は１８Ｎ／ｍ２以上、１ｍ２当りの質量は３５０ｋｇ／ｍ２以上である。厚さが３５０ｍｍのときに８０５ｋｇ／ｍ２である。
【００３７】
本発明に係るポーラスコンクリートブロックにあっては、これの形状、大きさを上記した各寸法にしたことにより、このポーラスコンクリートブロックを積みブロックとして用いたときの積みブロックと胴込めコンクリートの体積の割合を最適にしたことにより、壁体質量も８０５ｋｇ／ｍ２以上が確保できている。また、ブロックの圧縮強度は１８Ｎ／ｍ２以上にできる。
【符号の説明】
【００３８】
１…前面板、２…控え、３…コンクリートブロック、４…控え尻、５…裏込め材、６…基礎材、７…基礎コンクリート、８…天板コンクリート、９…裏込めコンクリート、１０…ブロック本体、１１…前面板、１２…控え、１３…控え尻、１４…溝、１５…ノックアウト部、１６…控えコマ、１７…突起、１８…位置決め突起。
【図１】
0003175402.tif 000003
【図２】
0003175402.tif 000004
【図３】
0003175402.tif 000005
【図４】
0003175402.tif 000006
【図５】
0003175402.tif 000007
【図６】
0003175402.tif 000008
【図７】
0003175402.tif 000009
【図８】
0003175402.tif 000010
【図９】
0003175402.tif 000011
【図１０】
0003175402.tif 000012
【図１１】
0003175402.tif 000013
【図１２】
0003175402.tif 000014
【図１３】
0003175402.tif 000015